(57)【要約】【課題】地震や風圧により乾式壁に大きな水平力が作用した場合でも、この乾式壁の破損を防止できる乾式壁の下地構造を提供すること。【解決手段】乾式壁の下地構造１は、床面２に固定されて上側が開放された略コの字形状の下側ランナ１０と、天井面３に固定されて下側が開放された略コの字形状の上側ランナ２０と、下側ランナ１０と上側ランナ２０との間に差し込まれた複数本のスタッド３０と、を備える。上側ランナ２０は、天井面３に固定される基部２１と、基部２１の両側から下方に延びて互いに略平行な一対の壁部２２と、を備える。スタッド３０の上端側は、上側ランナ２０の一対の壁部２２同士の間に差し込まれる。上側ランナ２０には、一対の壁部２２同士を連結する連結部材５０が設けられる。【選択図】図２
2018115531.tif 000002
【特許請求の範囲】
【請求項１】
床面に固定されて上側が開放された略コの字形状の下側ランナと、天井面に固定されて下側が開放された略コの字形状の上側ランナと、前記下側ランナと前記上側ランナとの間に差し込まれた複数本のスタッドと、を備える乾式壁の下地構造であって、
前記下側ランナは、前記床面に固定される基部と、当該基部の両側から上方に延びて互いに略平行な一対の壁部と、を備え、
前記上側ランナは、前記天井面に固定される基部と、当該基部の両側から下方に延びて互いに略平行な一対の壁部と、を備え、
前記スタッドの下端側は、前記下側ランナの一対の壁部同士の間に差し込まれ、
前記スタッドの上端側は、前記上側ランナの一対の壁部同士の間に差し込まれ、
前記下側ランナおよび前記上側ランナのうち少なくとも一方には、前記一対の壁部同士を連結する連結部材が設けられることを特徴とする乾式壁の下地構造。
【請求項２】
前記連結部材と前記スタッドとは、紐状の脱落防止部材で連結されていることを特徴とする請求項１に記載の乾式壁の下地構造。
【請求項３】
前記スタッドには、長尺状の延出部材が取り付けられ、
当該延出部材は、前記下側ランナおよび前記上側ランナのうち少なくとも一方の一対の壁部同士の間に配置されることを特徴とする請求項１または２に記載の乾式壁の下地構造。
【請求項４】
床面に固定されて上側が開放された略コの字形状の下側ランナと、天井面に固定されて下側が開放された略コの字形状の上側ランナと、前記下側ランナと前記上側ランナとの間に差し込まれたスタッドと、を備える乾式壁の下地構造であって、
前記下側ランナは、前記床面に固定される基部と、当該基部の両側から上方に延びて互いに略平行な一対の壁部と、を備え、
前記上側ランナは、前記天井面に固定される基部と、当該基部の両側から下方に延びて互いに略平行な一対の壁部と、を備え、
前記下側ランナおよび前記上側ランナのうち少なくとも一方には、前記床面または前記天井面に固定されて前記スタッドに係止する係止部材が設けられることを特徴とする乾式壁の下地構造。
【請求項５】
前記係止部材と前記スタッドとは、紐状の脱落防止部材で連結されていることを特徴とする請求項４に記載の乾式壁の下地構造。
【発明の詳細な説明】
【技術分野】
【０００１】
本発明は、乾式壁の下地の構造に関する。
【背景技術】
【０００２】
従来より、乾式の間仕切壁１００は、例えば、図１２（ａ）に示すように、軽量鉄骨下地１１０と、この軽量鉄骨下地の両面に張り付けられた石膏ボード１２０と、を備える。
軽量鉄骨下地１１０は、床面１０１に固定されて上側が開放された略コの字形状の下側ランナ１１１と、天井面１０２に固定されて下側が開放された略コの字形状の上側ランナ１１２と、下側ランナ１１１と上側ランナ１１２との間に差し込まれた複数本のスタッド１１３と、を備える（特許文献１参照）。
【先行技術文献】
【特許文献】
【０００３】
【特許文献１】特開２００１−８１８８５号公報
【発明の概要】
【発明が解決しようとする課題】
【０００４】
ところで、以上のような間仕切壁１００は、通常、地震や風圧により建物に層間変位が生じても、この層間変位に追従する性能を有している。
しかしながら、壁の高さが高かったり、壁の重量が大きかったりした場合には、地震や風圧により、間仕切壁１００に大きな水平力が作用すると、図１２（ｂ）に示すように、下側ランナ１１１や上側ランナ１１２が大きく開いてしまい、ランナ１１１、１１２からスタッド１１３が脱落して、間仕切壁１００が破損する場合があった。
【０００５】
また、図１２（ａ）に示すように、間仕切壁１００の側面の中間高さに天井材１３０が当接している場合には、地震や風圧により、間仕切壁１００に大きな水平力が作用すると、天井材１３０が間仕切壁１００の側面を押圧して、この押圧力によりランナ１１１、１１２が大きく開いて、ランナ１１１、１１２からスタッド１１３が脱落する場合があった。
【０００６】
本発明は、地震や風圧により乾式壁に大きな水平力が作用した場合でも、この乾式壁の破損を防止できる乾式壁の下地構造を提供することを目的とする。
【課題を解決するための手段】
【０００７】
請求項１に記載の乾式壁の下地構造（例えば、後述の乾式壁の下地構造１、１Ａ）は、床面（例えば、後述の床面２）に固定されて上側が開放された略コの字形状の下側ランナ（例えば、後述の下側ランナ１０）と、天井面（例えば、後述の天井面３）に固定されて下側が開放された略コの字形状の上側ランナ（例えば、後述の上側ランナ２０）と、前記下側ランナと前記上側ランナとの間に差し込まれた複数本のスタッド（例えば、後述のスタッド３０）と、を備える乾式壁の下地構造であって、前記下側ランナは、前記床面に固定される基部（例えば、後述の基部１１）と、当該基部の両側から上方に延びて互いに略平行な一対の壁部（例えば、後述の壁部１２）と、を備え、前記上側ランナは、前記天井面に固定される基部（例えば、後述の基部２１）と、当該基部の両側から下方に延びて互いに略平行な一対の壁部（例えば、後述の壁部２２）と、を備え、前記スタッドの下端側は、前記下側ランナの一対の壁部同士の間に差し込まれ、前記スタッドの上端側は、前記上側ランナの一対の壁部同士の間に差し込まれ、前記下側ランナおよび前記上側ランナのうち少なくとも一方には、前記一対の壁部同士を連結する連結部材（例えば、後述の連結部材５０、６０）が設けられることを特徴とする。
【０００８】
この発明によれば、連結部材で一対の壁部同士を連結したので、スタッドが壁部を外側に向かって押圧しても、連結部材により、この壁部が外側に開くことが抑制される。よって、地震や風圧により乾式壁に大きな水平力が作用した場合でも、ランナからスタッドが脱落するのを防いで、乾式壁の破損を防止できる。
【０００９】
請求項２に記載の乾式壁の下地構造（例えば、後述の乾式壁の下地構造１Ｂ）は、前記連結部材と前記スタッドとは、紐状の脱落防止部材（例えば、後述のワイヤ４２）で連結されていることを特徴とする。
【００１０】
この発明によれば、連結部材とスタッドとを紐状の脱落防止部材で連結したので、仮にスタッドがランナから外れても、このスタッドが転倒したり落下したりするのを防止できる。
【００１１】
請求項３に記載の乾式壁の下地構造（例えば、後述の乾式壁の下地構造１Ｇ、１Ｈ）は、前記スタッドには、長尺状の延出部材（例えば、後述のボルト４３）が取り付けられ、当該延出部材は、前記下側ランナおよび前記上側ランナのうち少なくとも一方の一対の壁部同士の間に配置されることを特徴とする。
【００１２】
この発明によれば、スタッドに長尺状の延出部材を取り付けて、この延出部材をランナの一対の壁部同士の間に配置した。よって、スタッドがランナを押圧して、ランナのスタッドに当接している部分が開いても、スタッドに取り付けられた延出部材がランナのスタッドに当接している部分以外の部分に引っ掛かるので、スタッドが転倒したり落下したりするのを防止できる。
【００１３】
請求項４に記載の乾式壁の下地構造（例えば、後述の乾式壁の下地構造１Ｃ、１Ｅ）は、床面に固定されて上側が開放された略コの字形状の下側ランナと、天井面に固定されて下側が開放された略コの字形状の上側ランナと、前記下側ランナと前記上側ランナとの間に差し込まれたスタッドと、を備える乾式壁の下地構造であって、前記下側ランナは、前記床面に固定される基部と、当該基部の両側から上方に延びて互いに略平行な一対の壁部と、を備え、前記上側ランナは、前記天井面に固定される基部と、当該基部の両側から下方に延びて互いに略平行な一対の壁部と、を備え、前記下側ランナおよび前記上側ランナのうち少なくとも一方には、前記床面または前記天井面に固定されて前記スタッドに係止する係止部材（例えば、後述の係止部材７０、８０）が設けられることを特徴とする。
【００１４】
この発明によれば、下側ランナおよび上側ランナのうち少なくとも一方に、床面または天井面に固定されてスタッドに係止する係止部材を設けた。よって、スタッドがランナから外れる方向に移動しようとしても、係止部材により、このスタッドの外側への移動が抑制される。よって、地震や風圧により乾式壁に大きな水平力が作用した場合でも、ランナからスタッドが脱落するのを防いで、乾式壁の破損を防止できる。
【００１５】
請求項５に記載の乾式壁の下地構造（例えば、後述の下地構造１Ｄ、１Ｆ）は、前記係止部材と前記スタッドとは、紐状の脱落防止部材で連結されていることを特徴とする。
【００１６】
この発明によれば、係止部材とスタッドとを紐状の脱落防止部材で連結したので、スタッドがランナから外れても、このスタッドが転倒したり落下したりするのを防止できる。
【発明の効果】
【００１７】
本発明によれば、地震や風圧により乾式壁に大きな水平力が作用した場合でも、ランナからスタッドが脱落するのを防いで、乾式壁の破損を防止できる。
【図面の簡単な説明】
【００１８】
【図１】本発明の第１実施形態に係る乾式壁の下地構造の側面図である。
【図２】図１の破線Ａで囲んだ部分の拡大斜視図である。
【図３】前記実施形態に係る乾式壁の下地構造の下側ランナおよび上側ランナの縦断面図である。
【図４】本発明の第２実施形態に係る乾式壁の下地構造の上側ランナの縦断面図である。
【図５】本発明の第３実施形態に係る乾式壁の下地構造の上側ランナの斜視図である。
【図６】本発明の第４実施形態に係る乾式壁の下地構造の上側ランナの斜視図および縦断面図である。
【図７】本発明の第５実施形態に係る乾式壁の下地構造の上側ランナの斜視図である。
【図８】本発明の第６実施形態および第７実施形態に係る乾式壁の下地構造の上側ランナの縦断面図である。
【図９】本発明の第８実施形態に係る乾式壁の下地構造の上側ランナの平面図である。
【図１０】図９のＢ−Ｂ断面図である。
【図１１】本発明の第９実施形態に係る乾式壁の下地構造の上側ランナの縦断面図である。
【図１２】本発明の従来例に係る乾式壁の下地構造の縦断面図である。
【発明を実施するための形態】
【００１９】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る乾式壁の下地構造１の側面図である。
乾式壁の下地構造１は、床面２に固定されて所定方向に延びて上側が開放された略コの字形状の下側ランナ１０と、天井面３に固定されて所定方向に延びて下側が開放された略コの字形状の上側ランナ２０と、下側ランナ１０と上側ランナ２０との間に所定間隔おきに差し込まれた複数本のスタッド３０と、を備える。
【００２０】
図２は、図１の破線Ａで囲んだ部分の拡大斜視図である。図３は、下側ランナ１０および上側ランナ２０の縦断面図である。
下側ランナ１０は、床面２にビス４０で固定される板状の基部１１と、基部１１の両側から上方に延びて互いに略平行な一対の板状の壁部１２と、を備える。
上側ランナ２０は、天井面３にビス４０で固定される板状の基部２１と、基部２１の両側から下方に延びて互いに略平行な一対の板状の壁部２２と、を備える。
下側ランナ１０と上側ランナ２０とは、同一の材質および形状となっている。
【００２１】
スタッド３０は、断面略コの字形状であり、このスタッド３０の下端側は、下側ランナ１０の一対の壁部１２同士の間に差し込まれ、スタッド３０の上端側は、上側ランナ２０の一対の壁部２２同士の間に差し込まれる。
下側ランナ１０および上側ランナ２０には、一対の壁部１２、２２同士を連結する連結部材５０が設けられる。
【００２２】
連結部材５０は、下側ランナ１０および上側ランナ２０と同一の材質および形状である。すなわち、連結部材５０は、略コの字形状であり、板状の基部５１と、基部５１の両側に立設されて互いに略平行な一対の板状の壁部５２と、を備える。
【００２３】
この連結部材５０を下側ランナ１０に上から被せて、連結部材５０の壁部５２を下側ランナ１０の壁部１２にビス４１で固定することで、下側ランナ１０の一対の壁部１２同士が連結される。
また、連結部材５０を上側ランナ２０に下から被せて、連結部材５０の壁部５２を上側ランナ２０の壁部２２にビス４１で固定することで、上側ランナ２０の一対の壁部２２同士が連結される。
【００２４】
連結部材５０の端面とスタッド３０との間には、寸法ｄの隙間が確保されている。これにより、躯体の変形に追従して、スタッド３０が下側ランナ１０および上側ランナ２０に沿って寸法ｄの範囲内で移動可能となっている。
【００２５】
本実施形態によれば、以下のような効果がある。
（１）連結部材５０で一対の壁部２２同士を連結したので、スタッド３０が壁部２２を外側に向かって押圧しても、連結部材５０により、この壁部２２が外側に開くことが抑制される。よって、地震や風圧により乾式壁に大きな水平力が作用した場合でも、ランナ１０、２０からスタッド３０が脱落するのを防いで、乾式壁の破損を防止できる。
【００２６】
〔第２実施形態〕
図４は、本発明の第２実施形態に係る乾式壁の下地構造１Ａの上側ランナ２０の縦断面図である。
本実施形態では、連結部材６０の構造が、第１実施形態と異なる。
すなわち、連結部材６０は、いわゆる角スタッドであり、所定長さの筒状である。具体的には、連結部材６０は、互いに略平行な一対の板状の基部６１と、基部６１の両端側同士を連結して互いに略平行な一対の板状の壁部６２と、を備える。
この連結部材６０を、上側ランナ２０の一対の壁部２２の間に差し込んで、連結部材６０の壁部６２を上側ランナ２０の壁部２２にビス４１で固定することで、上側ランナ２０の一対の壁部２２同士が連結される。
【００２７】
なお、図４では、上側ランナ２０の構造のみを示すが、下側ランナ１０についても、上側ランナ２０と同様の構造としてもよい。
【００２８】
本実施形態によれば、上述の（１）と同様の効果がある。
【００２９】
〔第３実施形態〕
図５は、本発明の第３実施形態に係る乾式壁の下地構造１Ｂの上側ランナ２０の斜視図である。
本実施形態では、連結部材５０とスタッド３０とが、紐状の脱落防止部材としてのワイヤ４２で連結されている点が、第１実施形態と異なる。
【００３０】
本実施形態によれば、上述の（１）に加えて、以下のような効果がある。
（２）連結部材５０とスタッド３０とを紐状のワイヤ４２で連結したので、仮にスタッド３０が上側ランナ２０から外れても、このスタッド３０が転倒したり落下したりするのを防止できる。
【００３１】
なお、図５では、上側ランナ２０の構造のみを示すが、下側ランナ１０についても、上側ランナ２０と同様の構造としてもよい。
【００３２】
〔第４実施形態〕
図６は、本発明の第４実施形態に係る乾式壁の下地構造１Ｃの上側ランナ２０の斜視図および縦断面図である。
本実施形態では、上側ランナ２０には、スタッドに係止する係止部材７０が設けられる点が、第１実施形態と異なる。
すなわち、係止部材７０は、断面略Ｌ字形状であり、天井面３に上側ランナ２０とともにビス４０で固定される板状の基部７１と、基部７１の一端側から下方に延びる板状の壁部７２と、を備える。
スタッド３０の上端縁には、下方に延びるスリット３１が形成されており、このスタッド３０のスリット３１には、係止部材７０の壁部７２が差し込まれる。この係止部材７０は、スタッド３０の両側に寸法ｄだけ突出している。
【００３３】
なお、図６では、上側ランナ２０の構造のみを示すが、下側ランナ１０についても、上側ランナ２０と同様の構造としてもよい。
【００３４】
本実施形態によれば、以下のような効果がある。
（３）上側ランナ２０に、天井面３に固定されてスタッド３０に係止する係止部材７０を設けた。よって、スタッド３０が上側ランナ２０から外れる方向に移動しようとしても、係止部材７０により、このスタッド３０の外側への移動が抑制される。よって、地震や風圧により乾式壁に大きな水平力が作用した場合でも、上側ランナ２０からスタッド３０が脱落するのを防いで、乾式壁の破損を防止できる。
【００３５】
〔第５実施形態〕
図７は、本発明の第５実施形態に係る乾式壁の下地構造１Ｄの上側ランナ２０の斜視図である。
本実施形態では、係止部材７０の壁部７２とスタッド３０とが、紐状の脱落防止部材としてのワイヤ４２で連結されている点が、第４実施形態と異なる。
【００３６】
本実施形態によれば、上述の（３）に加えて、以下のような効果がある。
（４）係止部材７０とスタッド３０とを紐状のワイヤ４２で連結したので、スタッド３０が上側ランナ２０から外れても、このスタッド３０が転倒したり落下したりするのを防止できる。
【００３７】
なお、図７では、上側ランナ２０の構造のみを示すが、下側ランナ１０についても、上側ランナ２０と同様の構造としてもよい。
【００３８】
〔第６実施形態〕
図８（ａ）は、本発明の第６実施形態に係る乾式壁の下地構造１Ｅの上側ランナ２０の縦断面図である。
本実施形態では、上側ランナ２０には、スタッド３０に係止する係止部材８０が設けられる点が、第１実施形態と異なる。
【００３９】
すなわち、係止部材８０は、断面略ハット形状であり、天井面３に上側ランナ２０とともにビス４０で固定される板状の一対の基部８１と、基部８１の一端側から下方に延びる板状の壁部８２と、壁部８２の下端側同士を連結する連結部８３と、を備える。
スタッド３０の上端縁には、下方に延びるスリット３２が形成されており、このスタッド３０のスリット３１には、係止部材８０の壁部８２および連結部８３が差し込まれる。
【００４０】
なお、図８（ａ）では、上側ランナ２０の構造のみを示すが、下側ランナ１０についても、上側ランナ２０と同様の構造としてもよい。
【００４１】
本実施形態によれば、上述の（３）と同様の効果がある。
【００４２】
〔第７実施形態〕
図８（ｂ）は、本発明の第７実施形態に係る乾式壁の下地構造１Ｆの上側ランナ２０の縦断面図である。
本実施形態では、係止部材８０の壁部８２とスタッド３０とが、紐状の脱落防止部材としてのワイヤ４２で連結されている点が、第６実施形態と異なる。
【００４３】
なお、図８（ｂ）では、上側ランナ２０の構造のみを示すが、下側ランナ１０についても、上側ランナ２０と同様の構造としてもよい。
【００４４】
本実施形態によれば、上述の（３）、（４）と同様の効果がある。
【００４５】
〔第８実施形態〕
図９は、本発明の第８実施形態に係る乾式壁の下地構造１Ｇの上側ランナ２０の平面図である。図１０は、図９のＢ−Ｂ断面図である。
本実施形態では、スタッド３０に長尺状の延出部材としてのボルト４３が取り付けられている点が、第１実施形態と異なる。
【００４６】
すなわち、スタッド３０には、ボルト４３が貫通しており、このボルト４３に一対のナット４４を螺合して締め付けることで、一対のナット４４でスタッド３０を両側から挟み込んで、ボルト４３がスタッド３０に固定される。このボルト４３は、上側ランナ２０の一対の壁部２２同士の間に配置されている。
また、連結部材５０の基部５１のスタッド３０側の端縁には、切欠き５３が形成されており、ボルト４３を取り付けたスタッド３０を上側ランナ２０に差し込む際、ボルト４３をこの切欠き５３に通すことで、ボルト４３が連結部材５０に引っ掛からないようになっている。
【００４７】
なお、図９および図１０では、上側ランナ２０の構造のみを示すが、下側ランナ１０についても、上側ランナ２０と同様の構造としてもよい。
【００４８】
本実施形態によれば、上述の（１）に加えて、以下のような効果がある。
（５）スタッド３０にボルト４３を取り付けて、このボルト４３を上側ランナ２０の一対の壁部２２同士の間に配置した。よって、スタッド３０が上側ランナ２０の壁部２２を押圧して、上側ランナ２０の壁部２２のスタッド３０に当接している部分が開いても、スタッド３０に取り付けられたボルト４３が、上側ランナ２０の壁部２２のスタッド３０に当接している部分以外の部分に引っ掛かるので、スタッド３０が転倒したり落下したりするのを防止できる。
【００４９】
〔第９実施形態〕
図１１は、本発明の第９実施形態に係る乾式壁の下地構造１Ｈの上側ランナ２０の縦断面図である。
本実施形態では、上側ランナ２０に、連結部材５０の代わりに連結部材６０を取り付けた点が、第８実施形態と異なる。
すなわち、連結部材６０の基部６１のスタッド３０側の端縁には、切欠き６３が形成されており、ボルト４３を取り付けたスタッド３０を上側ランナ２０に差し込む際、ボルト４３をこの切欠き６３に通すことで、ボルト４３が連結部材６０に引っ掛からないようになっている。
【００５０】
なお、図１１では、上側ランナ２０の構造のみを示すが、下側ランナ１０についても、上側ランナ２０と同様の構造としてもよい。
【００５１】
本実施形態によれば、上述の（１）、（５）と同様の効果がある。
【００５２】
なお、本発明は前記実施形態に限定されるものではなく、本発明の目的を達成できる範囲での変形、改良等は本発明に含まれるものである。
【符号の説明】
【００５３】
１、１Ａ、１Ｂ、１Ｃ、１Ｄ、１Ｅ、１Ｆ、１Ｇ、１Ｈ…乾式壁の下地構造
２…床面  ３…天井面
１０…下側ランナ  １１…基部  １２…壁部
２０…上側ランナ  ２１…基部  ２２…壁部
３０…スタッド  ３１…スリット  ３２…スリット
４０…ビス  ４１…ビス  ４２…ワイヤ（脱落防止部材）
４３…ボルト（延出部材）  ４４…ナット
５０…連結部材  ５１…基部  ５２…壁部  ５３…切欠き
６０…連結部材  ６１…基部  ６２…壁部  ６３…切欠き
７０…係止部材  ７１…基部  ７２…壁部
８０…係止部材  ８１…基部  ８２…壁部  ８３…連結部
【図１】
2018115531.tif 000003
【図２】
2018115531.tif 000004
【図３】
2018115531.tif 000005
【図４】
2018115531.tif 000006
【図５】
2018115531.tif 000007
【図６】
2018115531.tif 000008
【図７】
2018115531.tif 000009
【図８】
2018115531.tif 000010
【図９】
2018115531.tif 000011
【図１０】
2018115531.tif 000012
【図１１】
2018115531.tif 000013
【図１２】
2018115531.tif 000014